(57)【要約】      （修正有）【課題】オブジェクトを設置しない簡素な構成で多様に変化する模様映像としてカメラのディスプレイに表示できる折畳み可能なカメラ用携帯万華鏡を提供する。【解決手段】計２条の折曲縁を介して均等に区画される３つの広幅分割面部２３〜２５を備え、かつ、これらの広幅分割面部２３〜２５のうちの少なくとも内側二面に反射面４２を有する方形シート材により構成され、広幅分割面部２３〜２５を各折曲縁を介して折曲して断面正三角形を呈する角筒体３２とした際にその両開放端面３３，３４側に確保される各開口部のうちの一方をディスプレイ付きのカメラが備える撮影レンズと対向させる一側向け口３５とし、他方を撮影対象物と対向させる他側向け口３６とすることで、カメラ側に取り込まれる可変模様の変化する様を前記ディスプレイに表示可能とした。【選択図】図２
0003168852.tif 000002
【実用新案登録請求の範囲】
【請求項１】
対向２辺間に平行に配列された計２条の折曲縁を介して均等に区画される３つの広幅分割面部を少なくとも備え、かつ、これらの広幅分割面部のうちの少なくとも内側二面に反射面を有する方形シート材により構成され、
前記反射面を内側にした前記広幅分割面部を各折曲縁を介して折曲して断面正三角形を呈する角筒体とした際にその両開放端面側に確保される各開口部のうち、いずれか一方をディスプレイ付きのカメラが備える撮影レンズと対向させる一側向け口とし、他方を撮影対象物と対向させる他側向け口とすることで、
該他側向け口から前記角筒体内と前記撮影レンズとを経て前記カメラ側に取り込まれる可変模様の変化する様を前記ディスプレイに表示可能としたことを特徴とする折畳み可能なカメラ用携帯万華鏡。
【請求項２】
前記反射面は、前記広幅分割面部の内側面にミラー材を貼着配置して形成した請求項１に記載の折畳み可能なカメラ用携帯万華鏡。
【請求項３】
前記方形シート材は、３つの前記広幅分割面部と、該広幅分割面部のうちの両側に位置する前記広幅分割面部のいずれか一方の隣に前記折曲縁と平行な折曲縁を介して区画される１つの狭幅分割面部とを備え、
該狭幅分割面部は、前記広幅分割面部により前記角筒体を折曲形成した際に対向する前記広幅分割面部の外側面への重ね合わせを可能とした請求項１または２に記載の折畳み可能なカメラ用携帯万華鏡。
【請求項４】
前記反射面は、前記広幅分割面部のそれぞれの前記内側面に配置した請求項１ないし３のいずれかに記載の折畳み可能なカメラ用携帯万華鏡。
【請求項５】
中央に位置する前記広幅分割面部の外側面には、その先端側に一側係着材を備えるベルト材を配置し、前記狭幅分割面部の外側面には、他側第１係着材を、該狭幅分割面部の隣に位置する前記広幅分割面部の外側面には、他側第２係着材をそれぞれ配置することで、組立て時には前記一側係着材と前記他側第１係着材との係合を可能とし、折畳み時には、前記一側係着材と前記他側第２係着材との係合を可能とした請求項２または３に記載の折畳み可能なカメラ用携帯万華鏡。
【考案の詳細な説明】
【技術分野】
【０００１】
本考案は、ビーズやスパンコールや鳥の羽根などの細片等のオブジェクトを設置せず、これに相当する目視対象物を鏡面に反射させた状態のもとでカメラの撮影レンズから取り込んでそのディスプレイに時々刻々変化する模様としてリアルタイムに表示できるようにした折畳み可能なカメラ用携帯万華鏡に関する技術である。
【背景技術】
【０００２】
万華鏡は、１８１６年にスコットランド（イギリス）のデヴィッド・ブリュースターによって発明されたとされており、２００年弱の時を経てめざましい発展を遂げて、多くの優れた作品が生み出されてきている。
【０００３】
ここで、基本的な万華鏡の構造を説明すれば、角柱形状を呈する多面鏡と、該多面鏡を収容する筒体と、該筒体の後端側に配置される覗き窓と、オブジェクトを収容して筒体の先端側に配置されるオブジェクト容器とで構成されている。
【０００４】
そして、このような構造からなる万華鏡は、観察者が覗き窓から片目で中を覗き込みながら手で持った筒体を回転させることで、オブジェクト容器内のオブジェクトが変化する幾何学模様を楽しむことができるようになっている。
【０００５】
この場合における多面鏡は、２枚の鏡と１枚の無反射面とで三角柱を作ったり、３枚の鏡で三角柱を作るなど、各種のミラーシステムを採用することで形成されている。
【０００６】
また、従来からある万華鏡のなかには、輸送時における嵩張り防止や輸送コストの低減のほか、商品として陳列する際の省スペース化を図る観点から、特許文献１に開示されているように折り畳むことができるようにしたものもある。
【先行技術文献】
【特許文献】
【０００７】
【特許文献１】実開平６−７６９２０号公報
【０００８】
すなわち、特許文献１に開示されている万華鏡は、折り畳み可能で一方の開口をのぞき孔を備えた蓋片で塞ぐようにした角筒体と、内側にアルミ箔からなる鏡面を備えて展開可能な角筒状となって角筒体内に収容されるミラーボックスと、折り畳みが可能で、かつ、観察片（オブジェクト）を出し入れ可能に収容して角筒体の他方の開口に嵌め入れられる透明ボックスとで構成されている。
【０００９】
このため、上記万華鏡は、その不使用時に、角筒体の他方の開口から透明ボックスを取り外してからミラーボックスも取り出し、３部材に分離された角筒体と透明ボックスとミラーボックスとのそれぞれを各別に扁平状に折り畳むことができ、これにより輸送時における嵩張り防止や輸送コストの低減のほか、商品として陳列する際の省スペース化を実現できるとされている。
【考案の概要】
【考案が解決しようとする課題】
【００１０】
しかし、上記特許文献１に開示されている万華鏡は、角筒体と透明ボックスとミラーボックスとの３部材で構成されているため、それぞれの部材を別々に折り畳む必要があるという煩雑さがあるほか、それだけコスト高を招いてしまうという不都合があった。
【００１１】
また、上記万華鏡は、透明ボックス内に収容した観察片（オブジェクト）の変化を目視するものであることから、変化する様も自ずから一定の制約に服して、飽きられてしまう不具合もあった。
【００１２】
本考案は、従来技術にみられた上記課題に鑑み、オブジェクトを設置しないでその部材構成を簡素化するなかで、観察者が目視できる模様もカメラが備えるディスプレイに時々刻々変化する多様性に富んだ映像として映し出すことができる折畳み可能なカメラ用携帯万華鏡を提供することにその目的がある。
【課題を解決するための手段】
【００１３】
本考案は、上記目的を達成すべくなされたものであり、対向２辺間に平行に配列された計２条の折曲縁を介して均等に区画される３つの広幅分割面部を少なくとも備え、かつ、これらの広幅分割面部のうちの少なくとも内側二面に反射面を有する方形シート材により構成され、前記反射面を内側にした前記広幅分割面部を各折曲縁を介して折曲して断面正三角形を呈する角筒体とした際にその両開放端面側に確保される各開口部のうち、いずれか一方をディスプレイ付きのカメラが備える撮影レンズと対向させる一側向け口とし、他方を撮影対象物と対向させる他側向け口とすることで、該他側向け口から前記角筒体内と前記撮影レンズとを経て前記カメラ側に取り込まれる可変模様の変化する様を前記ディスプレイに表示可能としたことを最も主要な特徴とする。この場合、前記反射面は、前記広幅分割面部の内側面にミラー材を貼着配置して形成するものであってもよい。
【００１４】
また、前記方形シート材は、３つの前記広幅分割面部と、該広幅分割面部のうちの両側に位置する前記広幅分割面部のいずれか一方の隣に前記折曲縁と平行な折曲縁を介して区画される１つの狭幅分割面部とを備え、該狭幅分割面部は、前記広幅分割面部により前記角筒体を折曲形成した際に対向する前記広幅分割面部の外側面への重ね合わせを可能とするのが好ましい。
【００１５】
さらに、前記反射面は、すべての前記広幅分割面部の前記内側面に各別に形成するのが望ましい。さらにまた、中央に位置する前記広幅分割面部の外側面には、その先端側に一側係着材を備えるベルト材を配置し、前記狭幅分割面部の外側面には、他側第１係着材を、該狭幅分割面部の隣に位置する前記広幅分割面部の外側面には、他側第２係着材をそれぞれ配置することで、組立て時には前記一側係着材と前記他側第１係着材との係合を可能とし、折畳み時には、前記一側係着材と前記他側第２係着材との係合を可能とするのが望ましい。
【考案の効果】
【００１６】
本考案のうち、請求項１の考案によれば、方形シート材は、折曲縁を介して均等に区画される３つの広幅分割面部を備え、その少なくとも二面側に反射面が形成されているので、各折曲縁を介して角筒体とした際の一側向け口には、カメラの撮影レンズを対向配置し、他側向け口を撮影対象物に対向させることで、カメラのディスプレイに撮影対象物に由来する時々刻々変化する反射模様として映し出し、飽きることなくその変化する様を複数の人々が同時に観察することができる。
【００１７】
しかも、部材構成を簡素化することで、不使用時に１つの広幅分割面部分の面サイズにまで簡単に折り畳むことができるほか、製品として安価に提供することができる。
【００１８】
請求項２の考案によれば、広幅分割面部の内側面にミラー材を貼着配置して反射面が形成されているので、該ミラー材を介して全体強度をより高めてやることができる。  
【００１９】
請求項３の考案によれば、方形シート材は、３つの広幅分割面部と１つの狭幅分割面部とを備えているので、３つの広幅分割面部により角筒体を折曲形成した際に、狭幅分割面部を１つの広幅分割面部の外側面に重ね合わせることで、使用時における保形性と強度とをより高めてやることができる。
【００２０】
請求項４の考案によれば、３つの広幅分割面部に反射面が形成されているので、カメラのディスプレイに映し出される変化する様により多くの多様性と広がりとを付与することができる。
【００２１】
請求項５の考案によれば、１つの広幅分割面部の外側面に一側係着材付きのベルト材を備え、狭幅分割面部の外側面に他側第１係着材を備え、他の１つの広幅分割面部の外側面に他側第２係着材を備えているので、組立て時には、一側係着材と他側第１係着材とを係合させて安定させた形状のもとで使用することができ、折畳み時には、一側係着材と他側第２係着材とを係合させて折り畳み状態を安定的に維持させておくことができる。
【図面の簡単な説明】
【００２２】
【図１】本考案の一例の展開状態を示す説明図であり、そのうちの（ａ）は、内側面側である正面図を、（ｂ）は、外側面側である背面図をそれぞれ示す。
【図２】本考案の一例を示す全体斜視図であり、そのうちの（ａ）は、折り畳んだ後の状態を、（ｂ）は、組み立てた後の状態をそれぞれ示す。
【図３】本考案の一例の折り畳み手順と組み立て手順とを示す説明図であり、そのうちの（ａ）は、折り畳む際の状態を、（ｂ）は、折り畳んだ後の状態を、（ｃ）は、組み立てる際の状態を、（ｄ）は、組み立てた後の状態をそれぞれ示す。
【図４】本考案の使用状態例を示す説明図。
【考案を実施するための形態】
【００２３】
本考案の一例を展開して示す図１（ａ），（ｂ）からも明らかなように、折畳み可能なカメラ用携帯万華鏡１１は、折曲可能に形成され、かつ、その内側面１７に反射面４２を有する方形シート材１２により形成されている。
【００２４】
このうち、方形シート材１２は、例えば１９０ｍｍ（横辺）×１６０ｍｍ（縦辺）の方形を呈する厚さが０．１〜０．２ｍｍ程度の適宜の合成樹脂シート素材を用いて形成されており、その対向２辺である上下の横辺１３，１４相互間に平行に配列された計３条の折曲縁１９〜２１を介して一方の縦辺１５である一側縁１２ａ側に区画される１つの狭幅分割面部２２と、他方の縦辺１６である他側縁１２ｂ側を含むその余の面に均等に区画される３つの広幅分割面部２３〜２５とが、折曲縁１９〜２１を介して折り畳むことができるようになっている。
【００２５】
この場合、方形シート材１２には、その横辺長さが例えば３４ｍｍ程度の１つの狭幅分割面部２２と、それぞれの横辺長さが例えば５２ｍｍ程度の３つの広幅分割面部２３〜２５が区画形成されることになる。
【００２６】
また、方形シート材１２の内側面１７側に形成される反射面４２は、鏡面化できる適宜のコーティング材を内側面１７に塗布したり、例えばガラス材やアルミニウム材や塩化ビニル材などを基材とし、その表面を鏡面化することで形成される厚さが０．５ｍｍ程度のミラー材４３を内側面１７に貼着するなどして配置されている。
【００２７】
これを図１に基づいて具体的に説明すれば、反射面４２は、方形シート材１２において３条の折曲縁１５〜１７が位置している部位を除く内側面１７の１つの狭幅分割面部２２と３つの広幅分割面部２３〜２５とのそれぞれに各別に配置されている。
【００２８】
一方、方形シート材１２における３つの広幅分割面部２３〜２５のうち、中央に位置する広幅分割面部２４の外側面１８ｃには、その先端部２６ａにスナップの一方の構成部材であるソケット部片からなる一側係着材２７を備えるベルト材２６の基端部２６ｂ側を接合固着するなどして配置されている。この場合、ベルト材２６は、広幅分割面部２５が位置している側の他側縁１２ｂ近傍に先端部２６ａが到達する長さを備えている。
【００２９】
また、狭幅分割面部２２の外側面１８ａには、スナップの他方の構成部材であるボール部片からなる他側第１係着材２８が、該狭幅分割面部２２の隣に位置する広幅分割面部２３の外側面１８ｂには、同じくスナップの他方の構成部材であるボール部片からなる他側第２係着材２９がそれぞれ配置されている。
【００３０】
このため、組立て時には、図３（ｃ）に示されているように一側係着材２７と他側第１係着材２８とを係合させて図３（ｄ）に示す状態とすることができる。なお、このとき、狭幅分割面部２２は、その内側面１７ａを広幅分割面部２５の外側面１８ｄに重なり合わせることができるので、組立て状態をより堅固なものとして安定的に使用することができる。
【００３１】
また、折畳み時には、図３（ａ）に示されているように記一側係着材２７と他側第２係着材２９とを係合させて図３（ｂ）に示す状態とすることができる。なお、このとき、狭幅分割面部２２は、広幅分割面部２３側に折り畳んで仕舞い込むことができるので、折り畳み状態をコンパクト化することができる。
【００３２】
一方、反射面３２を内側にした広幅分割面部２３〜２５を各折曲縁１９〜２１を介して折曲して図２（ａ）に示すように断面三角形を呈する角筒体３２とした際には、その両開放端面３３，３４側に確保される各開口部のうち、いずれか一方の側、図４に示す例では左側をディスプレイ（図示せず）付きのカメラＣが備える撮影レンズＬと対向させる一側向け口３５とし、他方の側、図４に示す例では右側を撮影対象物Ｍと対向させる他側向け口３６とすることで、該他側向け口３６を経て角筒体３２内で生成される反射像が撮影レンズＬを経てカメラＣ側に取り込まれる可変模様として、その変化する様を前記ディスプレイに表示することができることになる。
【００３３】
次に、上記構成からなる本考案の作用・効果を説明すれば、その不使用時には、図１に示す展開状態から図２（ａ）に示す状態へと簡単に折り畳んでおくことができ、使用時には、、図１に示す展開状態から図２（ｂ）に示す状態となるように簡単に組み立てることができる。
【００３４】
すなわち、使用しないときは、図３（ａ）に示すように広幅分割面部２４の内側面１７ｃと広幅分割面部２５の内側面１７ｄとが近接するように折曲縁２１を介して折曲する一方で、狭幅分割面部２２の内側面１７ａと広幅分割面部２３の内側面１７ｂとが近接するように折曲縁１９を介して折曲した上で、折曲縁２０ｂを介して広幅分割面部２５の外側面１８ｄと狭幅分割面部２２の外側面１８ａとが近接するように折り畳んだ後、ベルト材２６が備える一側係着材２７と広幅分割面部２３が外側面１８ｂに備える他側第２係着材２９とを係合させるという非常に簡単な作業で、図３（ｂ）に示すようにコンパクトに折り畳むことができる。
【００３５】
このため、折り畳んだ後のカメラ用携帯万華鏡１１は、輸送時における嵩張り防止や輸送コストの低減を実現することができるほか、商品として陳列する際の省スペース化を実現することもできることになる。
【００３６】
一方、使用するときは、図３（ｃ）に示すように縦辺１６である広幅分割面部２５の他側縁１２ｂが狭幅分割面部２２と広幅分割面部２４との境界に位置する折曲縁２１へと内側から当接するように折曲縁２０，２１を介して折曲した後、狭幅分割面部２２をその内側面１７ａが広幅分割面部２５の外側面１８ｄに接するように折曲縁２１を介して折曲した後、ベルト材２６が備える一側係着材２７と狭幅分割面部２２が外側面１８ａに備える他側第１係着材２８とを係合させることで、図３（ｄ）に示すように組み立てることができる。
【００３７】
このようにして組み立てた後のカメラ用携帯万華鏡１１は、携帯電話が備えるカメラ機能やディジタルカメラを含むカメラＣを用い、撮影対象物Ｍをオブジェクトに見立ててることで特異な万華鏡として使用することができる。
【００３８】
すなわち、組み立てた後のカメラ用携帯万華鏡１１は、図４に示されているように、その一側向け口３５をカメラＣの撮影レンズＬと向き合わせ、他側向け口３６を例えば野外に咲いている花などの撮影対象物Ｍに向ける。
【００３９】
このような配置関係をとることで、カメラＣのディスプレイには、他側向け口３６を経て撮影対象物Ｍに由来する時々刻々変化する模様が角筒体３２内で生成される反射像となって撮影レンズＬからカメラＣ側に取り込まれ、その可変映像が模様が映し出される結果、飽きることなくその変化する様を複数の人々が同時に観察することができることになる。
【００４０】
つまり、本考案によれば、方形シート材１２は、折曲縁１９〜２１を介して１つの狭幅分割面部２２と均等に区画される３つの広幅分割面部２３〜２５とを備え、その少なくとも二面側に反射面４２が形成されているので、各折曲縁１９〜２１を介して角筒体３２とした際の一側向け口３５には、カメラＣの撮影レンズＬを対向配置し、他側向け口３６を撮影対象物Ｍに対向させることで、カメラＣのディスプレイに撮影対象物Ｍに由来する時々刻々変化する模様を映し出すことができることになる。
【００４１】
しかも、本考案によれば、部材構成を簡素化することで、不使用時に１つの広幅分割面部２３分の面サイズにまで簡単に折り畳むことができるほか、製品として安価に提供することができることになる。
【００４２】
さらに、狭幅分割面部２２の内側面１７ａと広幅分割面部２３〜２５の内側面１７ｂ〜１７ｄとにミラー材４３を貼着配置して反射面４２を形成した場合には、該ミラー材４３を介して全体強度をより高めてやることができる。  
【００４３】
また、方形シート材１２は、３つの広幅分割面部２３〜２５と１つの狭幅分割面部２２とを備えているので、３つの広幅分割面部２３〜２５により角筒体３２を折曲形成した際に、狭幅分割面部２２を１つの広幅分割面部２５の外側面１８ｄに重ね合わせることで、使用時における保形性と強度とをより高めてやることができる。
【００４４】
また、３つの広幅分割面部２３〜２５に反射面４２が形成されている場合には、カメラＣのディスプレイに映し出される変化する様により多くの多様性と広がりとを付与することができる。
【００４５】
また、３つの広幅分割面部２３〜２５のうち、１つの広幅分割面部２４に一側係着材２７付きのベルト材２６を備え、狭幅分割面部２２に他側第１係着材２８を備え、他の１つの広幅分割面部２３に他側第２係着材２９を備えている場合には、組立て時には一側係着材２７と他側第１係着材２８とを係合させて安定させた形状のもとで使用することができ、折畳み時には一側係着材２７と他側第２係着材２９とを係合させて折り畳み状態を安定的に維持させておくことができる。
【００４６】
以上は、本発明を図示例に基づいて説明したものであり、その具体的な構造はこれに限定されるものではない。例えば、方形シート材１２の展開形状は、図示例のような長方形ではなく、正方形としてもよい。
【００４７】
また、方形シート材１２は、１つの狭幅分割面部２２を有しない３つの広幅分割面部２３〜２５のみで形成し、これら３つの広幅分割面部２３〜２５を折曲して角筒体３２を形成してカメラ用携帯万華鏡１１として用いることもできる。
【００４８】
さらに、方形シート材１２を１つの狭幅分割面部２２と３つの広幅分割面部２３〜２５とで形成する場合においても、一側係着材２７付きのベルト材２６と他側第１係着材２８と他側第２係着材２９とを具備させないでおくこともできる。
【００４９】
さらにまた、一側係着材２７と他側第１係着材２８と他側第２係着材２９とは、図示例のようなソケット部片とボール部片とで構成されるスナップを用いることなく、フックテープとループテープとで構成される面ファスナーを用いたり、ボタン止めとするなど、適宜の係合止着手段を用いることができる。
【符号の説明】
【００５０】
１１  カメラ用携帯万華鏡
１２  方形シート材
１２ａ  一側縁
１２ｂ  他側縁
１３，１４  横辺
１５，１６  縦辺
１７（１７ａ，１７ｂ，１７ｃ，１７ｄ）  内側面
１８（１８ａ，１８ｂ，１８ｃ，１８ｄ）  外側面
１９，２０，２１  折曲縁
２２  狭幅分割面部
２３，２４，２５  広幅分割面部
２６  ベルト材
２６ａ  先端部
２６ｂ  基端部
２７  一側係着材
２８  他側第１係着材
２９  他側第２係着材
３２  角筒体
３３，３４  開放端面
３５  一側向け口
３６  他側向け朽ち
４２  反射面
４３  ミラー材
Ｃ  カメラ
Ｌ  撮影レンズ
Ｍ  撮影対象物
【図１】
0003168852.tif 000003
【図２】
0003168852.tif 000004
【図３】
0003168852.tif 000005
【図４】
0003168852.tif 000006